(57)【要約】【課題】本考案は、ラメ印刷シートからラメが剥がれないのでラメ印刷シートが適用された製品を長期間使用しても外観品質が低下することを防止できると共にラメが剥がれて塵や埃等の遠因になることを防止できるラメ印刷シートを提供する。【解決手段】ラメ印刷シート１０が適用された保護透明シート１６の裏面１６Ａにはオフセット印刷によって図柄印刷部１８とラメ印刷部２０が設けられている。このラメ印刷部２０には透明部２０Ａと半透明部２０Ｂが形成されている。ラメ印刷部２０にはシルクスクリーン印刷でラメインク層３０が形成されている。従って、前記ラメ印刷部２０は透明部２０Ａと半透明部２０Ｂが形成されているので、透明部２０Ａに対応するラメ３２は明瞭に見え、半透明部２０Ｂに対応するラメ３２は薄く見える。【選択図】図１
0003121724.tif 000002
【実用新案登録請求の範囲】
【請求項１】
保護透明シートと、この保護透明シートの裏面にカラー印刷によって形成された図柄印刷部と、前記保護透明シートの裏面に形成されると共に透明部を有するラメ印刷部と、このラメ印刷部にシルクスクリーン印刷で形成されたラメインク層と、を有してなることを特徴とするラメ印刷シート。
【請求項２】
保護透明シートと、この保護透明シートの裏面にカラー印刷によって形成された図柄印刷部と、前記保護透明シートの裏面に図柄印刷部と共に形成されたラメ印刷部と、このラメ印刷部に形成された透明部及び半透明部と、前記ラメ印刷部にシルクスクリーン印刷で形成されたラメインク層と、を有してなることを特徴とするラメ印刷シート。
【請求項３】
保護透明シートと、この保護透明シートの裏面にカラー印刷によって形成された図柄印刷部と、前記保護透明シートの裏面に前記カラー印刷によって図柄印刷部と共に形成されたラメ印刷部と、このラメ印刷部に形成された透明部及び半透明部と、前記ラメ印刷部にシルクスクリーン印刷で印刷されて形成されたラメインク層と、を有してなることを特徴とするラメ印刷シート。
【請求項４】
保護透明シートと、この保護透明シートの裏面にカラー印刷によって形成された図柄印刷部と、前記保護透明シートの裏面に前記カラー印刷によってカラー印刷されると共に透明部及び半透明部が形成されたラメ印刷部と、前記ラメ印刷部にラメとインクを混合したラメインクをシルクスクリーン印刷で印刷して形成されたラメインク層と、を有してなることを特徴とするラメ印刷シート。
【請求項５】
保護透明シートと、この保護透明シートの裏面にオフセット印刷によってカラー印刷されて形成された図柄印刷部と、前記保護透明シートの裏面に前記オフセット印刷によってカラー印刷されると共に透明部及び半透明部が形成されたラメ印刷部と、前記ラメ印刷部にラメとインクを混合したラメインクをシルクスクリーン印刷で印刷して形成されたラメインク層と、を有してなることを特徴とするラメ印刷シート。
【考案の詳細な説明】
【技術分野】
【０００１】
本考案は、主にファイルノート、手帳、日記帳、アルバム等の表紙やカバー等に使用されるラメ印刷シートに関する。
【背景技術】
【０００２】
適宜素材で形成された被印刷体の表面にラメ（ポリエステルフィルム等にアルミニュウム等の金属を真空蒸着して細かく裁断した細片）をシルクスクリーン等で印刷することにより前記被印刷体の外観品質を向上させてなるラメ印刷物が提案されている。
しかし、従来のラメ印刷物は被印刷体の表面にラメを直接印刷したものであるためラメ印刷物を適用した製品を長期間使用すると摩擦等によってラメが剥がれてしまい製品の見栄えが悪くなって製品の外観品質が低下するという不具合がある。
また、ラメ印刷物からラメが剥がれるとラメが塵や埃等の遠因の一つになる等の不具合がある。
【考案の開示】
【考案が解決しようとする課題】
【０００３】
本考案は、上記事実に鑑みなされたものでありラメ印刷シートからラメが剥がれないのでラメ印刷シートが適用された製品を長期間使用しても当該製品の外観品質が低下することを防止できると共にラメが剥がれて塵や埃等の遠因の一つになることを防止できるラメ印刷シートを提供するものである。
【課題を解決するための手段】
【０００４】
請求項１の考案は、保護透明シートと、この保護透明シートの裏面にカラー印刷によって形成された図柄印刷部と、前記保護透明シートの裏面に形成されると共に透明部を有するラメ印刷部と、このラメ印刷部にシルクスクリーン印刷で形成されたラメインク層と、を有してなることを特徴としている。
請求項２の考案は、保護透明シートと、この保護透明シートの裏面にカラー印刷によって形成された図柄印刷部と、前記保護透明シートの裏面に図柄印刷部と共に形成されたラメ印刷部と、このラメ印刷部に形成された透明部及び半透明部と、前記ラメ印刷部にシルクスクリーン印刷で形成されたラメインク層と、を有してなることを特徴としている。
請求項３の考案は、保護透明シートと、この保護透明シートの裏面にカラー印刷によって形成された図柄印刷部と、前記保護透明シートの裏面に前記カラー印刷によって図柄印刷部と共に形成されたラメ印刷部と、このラメ印刷部に形成された透明部及び半透明部と、前記ラメ印刷部にシルクスクリーン印刷で印刷されて形成されたラメインク層と、を有してなることを特徴としている。
請求項４の考案は、保護透明シートと、この保護透明シートの裏面にカラー印刷によって形成された図柄印刷部と、前記保護透明シートの裏面に前記カラー印刷によってカラー印刷されると共に透明部及び半透明部が形成されたラメ印刷部と、前記ラメ印刷部にラメとインクを混合したラメインクをシルクスクリーン印刷で印刷して形成されたラメインク層と、を有してなることを特徴としている。
請求項５の考案は、保護透明シートと、この保護透明シートの裏面にオフセット印刷によってカラー印刷されて形成された図柄印刷部と、前記保護透明シートの裏面に前記オフセット印刷によってカラー印刷されると共に透明部及び半透明部が形成されたラメ印刷部と、前記ラメ印刷部にラメとインクを混合したラメインクをシルクスクリーン印刷で印刷して形成されたラメインク層と、を有してなることを特徴としている。
【考案の効果】
【０００５】
本考案は、保護透明シートの裏面にラメが印刷されているのでラメ印刷シートを適用した製品を長期間使用してもラメが剥がれないので当該製品の外観品質が低下することを防止できるという優れた効果を有する。
また、本考案は、保護透明シートの裏面にラメが印刷されているのでラメ印刷シートが適用された製品を使用してもラメが剥がれないので塵や埃等の遠因の一つになることを防止することができるという優れた効果を有する。
さらに、請求項２〜請求項５の本考案は、上記優れた効果の他にラメ印刷部がグラデーションとなって表れるのでラメ印刷シートの外観品質を一段と向上させることができるという優れた効果を有する。
【考案を実施するための最良の形態】
【０００６】
考案を実施するために最良の形態の例として以下のような実施例を示す。
【実施例１】
【０００７】
図１〜図５には本考案のラメ印刷シートの一実施例が示されている。なお、この実施例ではラメ印刷シートをファイルを綴じるファイルノートの表紙に使用する場合を例にして説明する。
図５に示されるように、ラメ印刷シート１０が適用されるファイルノート１２の表紙１４は表表紙部１４Ａ、裏表紙部１４Ｂ、背表紙部１４Ｃから構成されている。
図１に示されるように、この表紙１４の外側に使用される保護透明シート１６は透明な塩化ビニールフィルムが用いられている。この保護透明シート１６の裏面１６Ａにはオフセット印刷によって形成された図柄印刷部１８とラメ印刷部２０が設けられている。
この実施例では前記図柄印刷部１８は人物図柄部２２、背景図柄部２４を備えている。また、前記ラメ印刷部２０はハートとリボンの合体図柄部２６と略Ｃ字状図柄部２８を有している。
図３に示されるように、前記図柄印刷部１８はオフセット印刷によりシアン（藍）、マゼンタ（赤）、イエロー（黄）、ブラック（黒）が印刷されて前記人物図柄部２２、背景図柄部２４が形成された後にホワイト（白）が印刷されている。従って、図柄印刷部１８にはホワイト（白）が印刷されているため保護透明シート１６を見た場合に前記図柄印刷部１８は透けないようになっている。
これに対して、前記ラメ印刷部２０はシアン（藍）、マゼンタ（赤）、イエロー（黄）、ブラック（黒）が印刷されているだけで、ホワイト（白）は印刷されていない。従って、保護透明シート１６を見るとラメ印刷部２０の部分は透けて見えるようになっている。なお、図３に示されるように、前記ラメ印刷部２０には透明部２０Ａと半透明部２０Ｂが形成されている。
図２に示されるように、前記ラメ印刷部２０にはシルクスクリーン印刷でラメインク層３０が形成されている。このラメインク層３０はラメインク３１をシルクスクリーン印刷で印刷することにより形成されている。このラメインク３１はラメ３２（ポリエステルフィルム等にアルミニュウム等の金属を真空蒸着して細かく裁断した細片）と透明インク３４を混合して形成されている。このラメインク３１に含まれる透明インク３４は粘着性を有しいるのでラメインク３１は前記保護透明シート１６の裏面１６Ａに粘着するようになっている。なお、この実施例では前記ラメ３２はシルバー色に彩色されている。また、この実施例では前記ラメインク３１のラメ３２と透明インク３４の混合割合は３：１０に設定されている。
従って、図１に示されるように、前記保護透明シート１６を見るとラメ印刷部２０にはラメ３２が見えるようになっている。また、図４に示されるように、前記ラメ印刷部２０は透明部２０Ａと半透明部２０Ｂが形成されているので、透明部２０Ａに対応するラメ３２は明瞭に見え、半透明部２０Ｂに対応するラメ３２は薄く見える。
この結果、図１及び図４に示されるように、前記ラメ３２がグラデーションとなって表れラメ印刷シート１０の外観品質を一段と高めることができる。
【０００８】
次に、前記ラメ印刷シート１０の作用を説明する。
本考案のラメ印刷シート１０は保護透明シート１６の裏面１６Ａにオフセット印刷によって図柄印刷部１８とラメ印刷部２０が形成されると共にシルク印刷によって前記ラメ印刷部２０にはラメインク層３０が形成されている。
従って、ラメ印刷シート１０が適用された前記ファイルノート１２の表紙１４を触ったり持ったりしても図柄印刷部１８及びラメインク層３０は保護透明シート１６によってカバーされているため、図柄印刷部１８及びラメインク層３０は触れられない。
この結果、前記ファイルノート１２を長期間使用してもラメインク層３０のラメ３２が剥がれたりすることを確実に防止することができる。
これにより、ラメ３２が剥がれてファイルノート１２の見栄えが悪くなって、ファイルノート１２の外観品質が低下するのを防止することができる。
また、上述したようにラメ３２の剥がれを防止できるので、ラメ３２が飛散等して塵や埃等の遠因になることを防止できる。
なお、前記ファイルノート１２の表紙１４を見るとラメ印刷部２０を通してラメ３２が見えるが、ラメ印刷部２０には透明部２０Ａと半透明部２０Ｂが形成されているので、透明部２０Ａに対応するラメ３２自体は明瞭に見え、半透明部２０Ｂに対応するラメ３２自体は薄く見えるので、ラメ３２がグラデーションとなって表れ、これによりファイルノート１２の外観品質を一段と高めることができる。
【０００９】
なお、前記実施例では図柄印刷部１８及びラメ印刷部２０をオフセット印刷で形成したが、図柄印刷部１８及びラメ印刷部２０を形成するのはオフセット印刷に限定されるものでなく、例えばグラビア印刷、原色版印刷等他の印刷手段を用いて形成してもよいことは勿論である。
また、前記実施例では保護透明シート１６を塩化ビニールフィルムで形成したが、保護透明シート１６は塩化ビニールフィルムに限定されるものでなく、ポリプロピレン、ポリエチレン等他の素材で形成してもよいことは勿論である。
なお、前記実施例ではシルバー色に彩色されたラメ３２を使用したが、ラメ３２の色はシルバーに限定されるものでなく、ゴールド等他の色のラメを使用してもよいことは勿論である。
また、前記実施例では図柄印刷部１８は人物図柄部２２、背景図柄部２４から構成され、ラメ印刷部２０はハートとリボンの合体図柄部２６、略Ｃ字状図柄部２８から構成されている場合を示したが、前記図柄印刷部１８及びラメ印刷部２０は他の図柄でもよいことは勿論である。
【００１０】
なお、実施例ではファイルノート１２の表紙１４に本考案のラメ印刷シート１０を適用した場合を例にして説明したが、本考案のラメ印刷シート１０の適用される製品は前記ファイルノート１２の表紙１４に限定されるものでなく、手帳、日記帳、アルバム等の表紙やカバー等他の製品に使用してもよいことは勿論である。
【図面の簡単な説明】
【００１１】
【図１】実施例のラメ印刷シートの表面図である。
【図２】実施例のラメ印刷シートの裏面図である。
【図３】ラメインク層が形成される前の実施例のラメ印刷シートの表面図である。
【図４】実施例のラメ印刷シートの一部拡大図である。
【図５】実施例のラメ印刷シートが適用されたファイルノートの斜視図である。
【符号の説明】
【００１２】
１０    ラメ印刷シート
１２    ファイルノート
１４    表紙
１６    保護透明シート
１８    図柄印刷部
２０    ラメ印刷部
２０Ａ  透明部
２０Ｂ  半透明部
３０    ラメインク層
３１    ラメインク
３２    ラメ
【図１】
0003121724.tif 000003
【図２】
0003121724.tif 000004
【図３】
0003121724.tif 000005
【図４】
0003121724.tif 000006
【図５】
0003121724.tif 000007